(57)【要約】【課題】本発明は、受信状態に応じて不要な消費電力を低減することが可能なサイマル放送受信装置を提供することを目的とする。【解決手段】本発明は、同一内容のアナログ、デジタル両放送を同時受信し、デジタル放送の受信状態に基づいて入力系統の切換えを行うサイマル放送受信装置において、デジタル放送の受信状態に基づいてアナログ放送受信部４への電源供給を制御する電源供給制御部１０を有する構成としている。【選択図】      図１
2004221803.tif 000002
【特許請求の範囲】
【請求項１】
異なる第１、第２の放送方式で同時放送された同一内容の第１、第２放送信号を各々受信して所定の信号処理を施す第１、第２受信部と、第１放送信号の受信状態を検出する受信状態検出部と、該受信状態検出部の検出結果に基づいて第１、第２受信部で得られた被処理信号のいずれか一方を後段回路に選択出力する入力系統切換部と、を有して成るサイマル放送受信装置において、
前記受信状態検出部の検出結果に基づいて第２受信部への電源供給を制御する電源供給制御部を有することを特徴とするサイマル放送受信装置。
【請求項２】
第１放送信号の受信状態が第１状態より良好であれば第２受信部への電源供給を停止して第１受信部で得られた被処理信号を選択出力し、第１状態より劣悪であるが第２状態より良好であれば第２受信部への電源供給を行いつつ第１受信部で得られた被処理信号を選択出力し、第２状態より劣悪であれば第２受信部への電源供給を行って第２受信部で得られた被処理信号を選択出力することを特徴とする請求項１に記載のサイマル放送受信装置。
【請求項３】
異なる第１、第２の放送方式で同時放送された同一内容の第１、第２放送信号を各々受信して所定の信号処理を施す第１、第２受信部と、第１放送信号の受信状態を検出する受信状態検出部と、該受信状態検出部の検出結果に基づいて第１、第２受信部で得られた被処理信号のいずれか一方を後段回路に選択出力する入力系統切換部と、を有して成るサイマル放送受信装置において、
前記入力系統切換部の前段に、第１、第２受信部で得られた被処理信号を各々一時記憶しておく記憶部を有することを特徴とするサイマル放送受信装置。
【請求項４】
第１、第２の放送方式は、各々デジタル、アナログ放送方式であり、前記受信状態検出部は、第１受信部で得られた復調信号のビット誤り率に基づいて第１放送信号の受信状態を検出することを特徴とする請求項１〜請求項３のいずれかに記載のサイマル放送受信装置。
【発明の詳細な説明】
【０００１】
【発明の属する技術分野】
本発明は、異なる放送方式で同時に放送された同一内容の放送信号を各々受信するサイマル放送受信装置に関するものである。
【０００２】
【従来の技術】
従来のサイマル放送受信装置は、同一内容がデジタル、アナログ両放送方式で同時に放送されていれば、無条件で入力系統をデジタル側に固定する構成とされていた。確かに、デジタル放送方式は、アナログ放送方式に比べて受信状態が多少悪化しても誤り訂正符号の効果でデコード信号が劣化しにくい、という長所を備えているため、サイマル放送受信時に入力系統をデジタル側とする構成は、理に適ったものであると言える。しかしながら、デジタル放送方式は、一旦受信状態が所定の状態より劣悪になると急激なデコード信号の劣化が生じる、というアナログ放送方式にはない欠点も併せ持っているため、上記のように、サイマル放送受信時に無条件で入力系統をデジタル側に固定する構成では、デジタル放送信号の受信状態が所定の状態より劣悪になると突然その内容が視聴不可能になる、という課題があった。
【０００３】
なお、上記の課題を解決する従来技術としては、デジタル、アナログ両放送方式のテレビジョン放送信号を各々受信して所定の信号処理を施すデコーダ部と、デジタルテレビジョン放送信号の受信状態を検出する受信状態検出部と、該受信状態検出部の検出結果に基づいてデコーダ部で得られた被処理信号のいずれか一方を後段回路に選択出力する入力系統切換部と、を有して成るテレビジョン受像機が、本願出願人によって開示・提案されている（特許文献１を参照）。
【０００４】
【特許文献１】
特許第２６４１１４８号公報
【０００５】
【発明が解決しようとする課題】
確かに、上記構成から成るテレビジョン受像機であれば、デジタルテレビジョン放送信号の受信状態が悪化した場合でも、急激なデコード信号劣化が生じる前に入力系統が暫定的にデジタル側からアナログ側に切り換えられるので、放送内容を概ね理解することができる程度の映像・音声を出力することが可能である。
【０００６】
しかしながら、上記構成から成るテレビジョン受像機は、デジタルテレビジョン放送信号の受信状態に依らず、常にアナログ側のデコーダ部へ電力を供給し続ける構成であったため、デジタルテレビジョン放送信号の受信状態が良好なときにアナログ側のデコーダ部で消費される電力が無駄である、という課題を有していた。また、上記構成から成るテレビジョン受像機は、入力系統切換時に生じる出力タイミングずれの補償手段を何ら有しない構成であったため、入力系統を切り換える度に音声信号や映像信号の断絶が生じる、という課題も有していた。
【０００７】
本発明は、上記の問題点に鑑み、受信状態に応じて不要な消費電力を低減することが可能なサイマル放送受信装置を提供することを第１の目的とする。また、本発明は、入力系統切換時の信号断絶を防止することが可能なサイマル放送受信装置を提供することを第２の目的とする。
【０００８】
【課題を解決するための手段】
上記目的を達成するために、本発明に係るサイマル放送受信装置は、異なる第１、第２の放送方式で同時放送された同一内容の第１、第２放送信号を各々受信して所定の信号処理を施す第１、第２受信部と、第１放送信号の受信状態を検出する受信状態検出部と、該受信状態検出部の検出結果に基づいて第１、第２受信部で得られた被処理信号のいずれか一方を後段回路に選択出力する入力系統切換部と、を有して成るサイマル放送受信装置において、前記受信状態検出部の検出結果に基づいて第２受信部への電源供給を制御する電源供給制御部を有する構成としている。このような構成とすることにより、受信状態に応じて不要な消費電力を低減することが可能となる。
【０００９】
なお、上記構成から成るサイマル放送受信装置は、第１放送信号の受信状態が第１状態より良好であれば第２受信部への電源供給を停止して第１受信部で得られた被処理信号を選択出力し、第１状態より劣悪であるが第２状態より良好であれば第２受信部への電源供給を行いつつ第１受信部で得られた被処理信号を選択出力し、第２状態より劣悪であれば第２受信部への電源供給を行って第２受信部で得られた被処理信号を選択出力する構成にするとよい。このような構成とすることにより、入力系統の切換を円滑に行うことが可能となる。
【００１０】
また、本発明に係るサイマル放送受信装置は、異なる第１、第２の放送方式で同時放送された同一内容の第１、第２放送信号を各々受信して所定信号処理を施す第１、第２受信部と、第１放送信号の受信状態を検出する受信状態検出部と、該受信状態検出部の検出結果に基づいて第１、第２受信部で得られた被処理信号のいずれか一方を後段回路に選択出力する入力系統切換部と、を有して成るサイマル放送受信装置において、前記入力系統切換部の前段に第１、第２受信部で得られた被処理信号を各々一時記憶しておく記憶部を有する構成としている。このような構成であれば、入力系統切換時の信号断絶を防止することが可能となる。
【００１１】
また、上記構成から成るサイマル放送受信装置において、第１、第２の放送方式は、各々デジタル、アナログ放送方式であり、前記受信状態検出部は、第１受信部で得られた復調信号のビット誤り率に基づいて第１放送信号の受信状態を検出する構成にするとよい。このような構成とすることにより、デジタル放送信号の受信状態を容易に検出することが可能となる。
【００１２】
【発明の実施の形態】
以下では、デジタル、アナログ両放送方式で同時放送された同一内容のテレビジョン放送信号を各々受信することが可能なサイマル放送対応テレビジョン受信装置（以下、ＴＶ受信装置と呼ぶ）に本発明を適用した場合を例に挙げて、本発明の詳細な説明を行う。
【００１３】
図１は本発明に係るＴＶ受信装置の第１実施形態を示すブロック図である。本図に示すように、本実施形態のＴＶ受信装置は、デジタル放送信号受信用の第１アンテナ１と、デジタル放送信号を受信して所定の信号処理を施すデジタル信号受信部２と、アナログ放送信号受信用の第２アンテナ３と、アナログ放送信号を受信して所定の信号処理を施すアナログ信号受信部４と、デジタル信号受信部２とアナログ信号受信部４で得られた被処理信号のいずれか一方を後段回路に選択出力する入力系統切換部５と、デジタル放送信号の受信状態（本実施形態では復調信号のＢＥＲ［Ｂｉｔ  Ｅｒｒｏｒ  Ｒａｔｅ］）を検出する受信状態検出部６と、入力系統切換部５の切換制御を行う制御部７と、アナログ信号受信部４への電源供給を制御する電源供給制御部８と、を有して成る。
【００１４】
なお、上記のデジタル信号受信部２は、第１アンテナ１で受信されたデジタル放送信号から目的の周波数帯域信号を抽出して中間周波数信号に周波数変換するチューナ部２１と、該チューナ部２１で得られた中間周波数信号をデジタル復調するＯＦＤＭ［Ｏｒｔｈｏｇｏｎａｌ  Ｆｒｅｑｕｅｎｃｙ  Ｄｉｖｉｓｉｏｎ  Ｍｕｌｔｉｐｌｅｘ］復調部２２と、該ＯＦＤＭ復調部２２で得られた復調信号を音声映像信号に変換する音声映像処理部２３と、を有して成る。また、上記のアナログ信号受信部４は、第２アンテナ３で受信されたアナログ放送信号から目的の周波数帯域信号（チューナ部２１で抽出された周波数帯域信号と同一）を抽出して中間周波数信号に周波数変換するチューナ部４１と、該チューナ部４１で得られた中間周波数信号を音声映像信号に変換する音声映像処理部４２と、を有して成る。
【００１５】
上記構成から成るＴＶ受信装置の入力系統切換動作及び電源制御動作について図２を参照しながら詳細な説明を行う。図２は第１実施形態のＴＶ受信装置の一動作例を示すフローチャートである。
【００１６】
サイマル放送の受信開始時、ステップＳ１−１では、制御部７による電源供給制御部８と入力系統切換部５の初期設定が行われる。具体的に述べると、電源供給制御部８に対しては、デジタル信号受信部２への電源供給をオン、アナログ信号受信部４への電源供給をオフとするように指示が与えられ、入力系統切換部５に対しては、デジタル信号受信部２で得られた被処理信号を後段回路に選択出力するように指示が与えられる。
【００１７】
ステップＳ１−１における初期設定後、ステップＳ１−２では、受信状態検出部６によるＢＥＲの検出が行われ、該ＢＥＲが制御部７に送出される。ステップＳ１−３では、ステップＳ１−２で得られたＢＥＲに基づいて、制御部７による入力系統の切換要否判定が行われる。ここで、ＢＥＲが予め設定された閾値よりも小さいと判定された場合には、デジタル放送信号の受信状態は良好であり、音声と映像を問題なく供給できる状態であるとして、フローがステップＳ１−４に進められる。一方、ＢＥＲが閾値よりも大きいと判定された場合には、デジタル放送信号の受信状態が悪化し、音声と映像の供給に際して問題を生じるおそれがあるとして、フローがステップＳ１−５に進められる。
【００１８】
ステップＳ１−３にて、ＢＥＲが閾値よりも小さいと判定された場合、ステップＳ１−４では、デジタル信号受信部２で処理された音声映像信号が入力系統切換部５から後段回路に選択出力され、その後フローはステップＳ１−２に戻される。このように、デジタル放送信号の受信状態が良好である間、フローはステップＳ１−１〜Ｓ１−４（実際はステップＳ１−２〜Ｓ１−４）に示すデジタル出力ルーチンをループすることになる。
【００１９】
一方、ステップＳ１−３にて、ＢＥＲが閾値よりも大きいと判定された場合、ステップＳ１−５では、制御部７から電源供給制御部８に対して、アナログ信号受信部４への電源供給をオンとするように指示が与えられ、ステップＳ１−６では、制御部７から入力系統切換部５に対して、アナログ信号受信部４で得られた被処理信号を後段回路に選択出力するように入力系統の切換指示が与えられる。そして、続くステップＳ１−７では、アナログ信号受信部４で処理された音声映像信号が入力系統切換部５から後段回路に選択出力される。このような構成とすることにより、デジタル放送信号の受信状態が悪化した場合でも、急激なデコード信号劣化が生じる前に入力系統が暫定的にデジタル側からアナログ側に切り換えられるので、放送内容を概ね理解することができる程度の映像・音声を出力することが可能となる。
【００２０】
ステップＳ１−７でアナログ信号出力が行われた後、続くステップＳ１−８では、再び受信状態検出部６によるＢＥＲの検出が行われ、該ＢＥＲが制御部７に送出される。そして、ステップＳ１−９では、ステップＳ１−８で得られたＢＥＲに基づいて、制御部７による入力系統の復帰判定が行われる。ここで、ＢＥＲが閾値より小さいと判定された場合には、デジタル放送信号の受信状態は良好であり、音声と映像を問題なく供給できる状態に回復したとして、フローがステップＳ１−１０に進められる。一方、ＢＥＲが閾値よりも大きいと判定された場合には、デジタル放送信号の受信状態が未だに劣悪であり、音声と映像の供給に際して問題を生じるおそれがあるとして、フローがステップＳ１−７に戻される。
【００２１】
ステップＳ１−９にて、ＢＥＲが閾値より小さいと判定された場合、ステップＳ１−１０では、制御部７から電源供給制御部８に対して、アナログ信号受信部４への電源供給をオフとするように指示が与えられ、ステップＳ１−１１では、制御部７から入力系統切換部５に対して、デジタル信号受信部２で得られた被処理信号を後段回路に選択出力するように入力系統の切換指示が与えられる。そして、フローはステップＳ１−４に戻され、デジタル信号受信部２で処理された音声映像信号が入力系統切換部５から後段回路に選択出力される。このような構成とすることにより、デジタル放送信号の受信状態が一旦悪化した場合でも、その後に回復すればデジタル出力ルーチンに復帰することが可能となる。
【００２２】
一方、ステップＳ１−９にて、ＢＥＲが閾値より大きいと判定された場合、フローは前述の通りステップＳ１−７に戻される。このように、デジタル放送信号の受信状態が劣悪である間、フローはステップＳ１−５〜Ｓ１−１１（実際はステップＳ１−７〜Ｓ１−９）のアナログ出力ルーチンをループすることになる。
【００２３】
上記したように、本実施形態のＴＶ受信装置は、受信状態検出部６の検出結果に基づいてアナログ受信部４への電源供給を制御する電源供給制御部８を有する構成であり、フローがデジタル出力ルーチンをループしている間は、アナログ受信部４への電源供給を停止する構成としている。このような構成とすることにより、デジタル放送信号の受信状態が良好なときにアナログ受信部４で浪費されていた電力を削減することが可能となる。
【００２４】
次に、本発明に係るＴＶ受信装置の第２実施形態について説明する。なお、本実施形態のＴＶ受信装置は、前出の第１実施形態（図１参照）と同様の構成から成り、その入力系統切換動作及び電源制御動作に特徴を有するものである。そこで、本実施形態のＴＶ受信装置については、その入力系統切換動作及び電源制御動作のみを詳細に説明することにする。図３は第２実施形態のＴＶ受信装置の動作を示すフローチャートである。
【００２５】
サイマル放送の受信開始時、ステップＳ２−１では、制御部７による電源供給制御部８と入力系統切換部５の初期設定が行われる。具体的に述べると、電源供給制御部８に対しては、デジタル信号受信部２への電源供給をオン、アナログ信号受信部４への電源供給をオフとするように指示が与えられ、入力系統切換部５に対しては、デジタル信号受信部２で得られた被処理信号を後段回路に選択出力するように指示が与えられる。
【００２６】
ステップＳ２−１における初期設定後、ステップＳ２−２では、受信状態検出部６によるＢＥＲの検出が行われ、該ＢＥＲが制御部７に送出される。ステップＳ２−３では、ステップＳ２−２で得られたＢＥＲに基づいて、制御部７によるアナログ信号受信部４の待機要否判定が行われる。ここで、ＢＥＲが予め設定された第１閾値より小さいと判定された場合には、デジタル放送信号の受信状態は良好であり、音声と映像を問題なく供給できる状態であるとして、フローがステップＳ２−４に進められる。一方、ＢＥＲが第１閾値よりも大きいと判定された場合には、デジタル放送信号の受信状態が悪化し、アナログ信号受信部４を待機状態としておく必要があるとして、フローがステップＳ２−５に進められる。
【００２７】
ステップＳ２−３にて、ＢＥＲが第１閾値より小さいと判定された場合、ステップＳ２−４では、デジタル信号受信部２で処理された音声映像信号が入力系統切換部５から後段回路に選択出力され、フローはステップＳ２−２に戻される。このように、デジタル放送信号の受信状態が良好である間、フローはステップＳ２−１〜Ｓ２−４（実際にはステップＳ２−２〜Ｓ２−４）に示すアナログ待機なしのデジタル出力ルーチンをループすることになる。
【００２８】
一方、ステップＳ２−３にて、ＢＥＲが第１閾値よりも大きいと判定された場合、ステップＳ２−５では、制御部７から電源供給制御部８に対して、アナログ信号受信部４への電源供給をオンとするように指示が与えられ、ステップＳ２−６では、ステップＳ２−２で得られたＢＥＲに基づいて、制御部７による入力系統の切換要否判定が行われる。ここで、ＢＥＲが予め設定された第２閾値（＞第１閾値）よりも小さいと判定された場合には、デジタル放送信号の受信状態は悪化しているが、入力系統を切り換えるまでには至らないとして、フローがステップＳ２−７に進められる。一方、ＢＥＲが第２閾値よりも大きいと判定された場合には、デジタル放送信号の受信状態が劣悪であり、音声と映像の供給に際して問題を生じるおそれがあるとして、フローがステップＳ２−１１に進められる。
【００２９】
ステップＳ２−６にて、ＢＥＲが第２閾値より小さいと判定された場合、ステップＳ２−７では、デジタル信号受信部２で処理された音声映像信号が入力系統切換部５から後段回路に選択出力され、続くステップＳ２−８では、再び受信状態検出部６によるＢＥＲの検出が行われる。そして、ステップＳ２−９では、ステップＳ２−８で得られたＢＥＲに基づいて、制御部７によるアナログ信号受信部４の待機復帰判定が行われる。ここで、ＢＥＲが第１閾値よりも小さいと判定された場合には、デジタル放送信号の受信状態は良好であり、音声と映像を問題なく供給できる状態に回復したとして、フローがステップＳ２−１０に進められる。一方、ＢＥＲが第１閾値よりも大きいと判定された場合には、デジタル放送信号の受信状態が未だ回復しておらず、アナログ信号受信部４を待機状態としておく必要があるとして、フローがステップＳ２−６に戻される。
【００３０】
ステップＳ２−９にて、ＢＥＲが第１閾値よりも小さいと判定された場合、ステップＳ２−１０では、制御部７から電源供給制御部８に対して、アナログ信号受信部４への電源供給をオフとするように指示が与えられ、フローがステップＳ２−４に戻される。このような構成とすることにより、デジタル放送信号の受信状態が一旦悪化した場合でも、その後に回復すればアナログ待機なしのデジタル出力ルーチンに復帰することが可能となる。
【００３１】
一方、ステップＳ２−９にて、ＢＥＲが第１閾値よりも大きいと判定された場合、フローは前述したようにステップＳ２−６に戻される。このように、ＢＥＲが第１閾値より大きいが第２閾値より小さければ、フローはステップＳ２−５〜Ｓ２−１０（実際にはステップＳ２−６〜Ｓ２−９）に示すアナログ待機ありのデジタル出力ルーチンをループすることになる。
【００３２】
また、ステップＳ２−６にて、ＢＥＲが第２閾値よりも大きいと判定された場合、ステップＳ２−１１では、制御部７から入力系統切換部５に対して、アナログ信号受信部４で得られた被処理信号を後段回路に選択出力するように入力系統の切換指示が与えられる。そして、続くステップＳ２−１２では、アナログ信号受信部４で処理された音声映像信号が入力系統切換部５から後段回路に選択出力される。このような構成とすることにより、デジタル放送信号の受信状態が悪化した場合でも、急激なデコード信号劣化が生じる前に入力系統が暫定的にデジタル側からアナログ側に切り換えられるので、放送内容を概ね理解することができる程度の映像・音声を出力することが可能となる。
【００３３】
ステップＳ２−１２にて、アナログ信号出力が行われた後、続くステップＳ２−１３では、再び受信状態検出部６によるＢＥＲの検出が行われ、該ＢＥＲが制御部７に送出される。そして、ステップＳ２−１４では、ステップＳ２−１３で得られたＢＥＲに基づいて、制御部７による入力系統の復帰判定が行われる。ここで、ＢＥＲが第２閾値よりも小さいと判定された場合には、デジタル放送信号の受信状態は持ち直し、アナログ信号受信部４を待機状態としておけば足りる状態に回復したとして、フローがステップＳ２−１５に進められる。一方、ＢＥＲが第２閾値よりも大きいと判定された場合には、デジタル放送信号の受信状態が未だに劣悪であり、音声と映像の供給に際して問題を生じるおそれのある状態であるとして、フローがステップＳ２−１２に戻される。
【００３４】
ステップＳ２−１４にて、ＢＥＲが第２閾値よりも小さいと判定された場合、ステップＳ２−１５では、制御部７から入力系統切換部５に対して、デジタル信号受信部２で得られた被処理信号を後段回路に選択出力するように入力系統の切換指示が与えられる。そして、フローはステップＳ２−７に戻され、デジタル信号受信部２で処理された音声映像信号が入力系統切換部５から後段回路に選択出力される。このような構成とすることにより、デジタル放送信号の受信状態が一旦悪化した場合でも、その後に回復すればアナログ待機ありのデジタル出力ルーチンに復帰することが可能となる。
【００３５】
一方、ステップＳ２−１４にて、ＢＥＲが第２閾値よりも大きいと判定された場合、フローは前述の通りステップＳ２−１２に戻される。このように、デジタル放送信号の受信状態が劣悪である間、フローはステップＳ２−１１〜Ｓ２−１５（実際にはステップＳ２−１２〜Ｓ２−１４）のアナログ出力ルーチンをループすることになる。
【００３６】
上記したように、本実施形態のＴＶ受信装置は、ＢＥＲが第１閾値より小さければアナログ信号受信部４への電源供給を停止してデジタル信号受信部２で得られた被処理信号を選択出力し、第１閾値より大きいが第２閾値より小さければアナログ信号受信部４への電源供給を行いつつデジタル信号受信部２で得られた被処理信号を選択出力し、第２閾値より大きければアナログ信号受信部４への電源供給を行って該アナログ信号受信部４で得られた被処理信号を選択出力する構成としている。このような構成とすることにより、前出の第１実施形態に比べて、入力系統の切換を円滑に行うことが可能となる。
【００３７】
次に、本発明に係るＴＶ受信装置の第３実施形態について説明する。なお、本実施形態のＴＶ受信装置は、前出の第１、２実施形態（図１参照）とほぼ同様の構成から成る。そこで、第１、第２実施形態と同様の構成部分については、図１と同一符号を付すことで説明を省略し、以下では、本実施形態の特徴部分に重点を置いた説明を行うことにする。
【００３８】
図４は本発明に係るＴＶ受信装置の第３実施形態を示すブロック図である。本図に示す通り、本実施形態のＴＶ受信装置は、入力系統切換部５の前段に、デジタル信号受信部２及びアナログ信号受信部４で得られた被処理信号を各々一時記憶しておく記憶部９、１０を有する構成である。
【００３９】
上記構成から成るＴＶ受信装置では、入力系統切換部５によって入力系統が切り換えられる際、その切換動作と同時に、制御部７によって記憶部９、１０からの信号読出タイミングが適宜制御され、デジタル、アナログ両系統の信号出力位相ずれが補償される。このような構成とすることにより、入力系統を切り換える度に生じていた音声信号や映像信号の断絶を解消することが可能となる。
【００４０】
なお、上記の各実施形態では、本発明をサイマル放送対応のＴＶ受信装置に適用した場合を例に挙げて説明を行ったが、本発明の適用対象はこれに限定されるものではなく、他のサイマル放送受信装置にも広く適用することが可能である。
【００４１】
また、上記の各実施形態では、デジタル、アナログ両入力系統を１つずつ有して成る構成を例に挙げて説明を行ったが、本発明の構成はこれに限定されるものではなく、各入力系統を複数有し、いわゆる選択ダイバーシティ受信や合成ダイバーシティ受信が可能な構成としても構わない。
【００４２】
また、上記の各実施形態では、デジタル復調信号のＢＥＲに基づいてデジタル放送信号の受信状態を検出する構成を例に挙げて説明を行ったが、本発明の構成はこれに限定されるものではなく、デジタル信号受信部２における音声映像信号処理の可否に基づいて受信状態を検出する構成としてもよいし、受信したデジタル放送信号の受信強度に基づいて受信状態を検出する構成としてもよい。
【００４３】
【発明の効果】
上記した通り、本発明に係るサイマル放送受信装置であれば、受信状態に応じて不要な消費電力を低減することが可能となる。また、本発明に係るサイマル放送受信装置であれば、入力系統切換時の信号断絶を防止することが可能となる。
【図面の簡単な説明】
【図１】本発明に係るＴＶ受信装置の第１実施形態を示すブロック図である。
【図２】第１実施形態のＴＶ受信装置の動作を示すフローチャートである。
【図３】第２実施形態のＴＶ受信装置の動作を示すフローチャートである。
【図４】本発明に係るＴＶ受信装置の第３実施形態を示すブロック図である。
【符号の説明】
１    第１アンテナ（デジタル信号受信用）
２    デジタル信号受信部
２１    チューナ部
２２    ＯＦＤＭ復調部
２３    音声映像処理部
３    第２アンテナ（アナログ信号受信用）
４    アナログ信号受信部
４１    チューナ部
４２    音声映像処理部
５    入力系統切換部
６    受信状態検出部（ＢＥＲ検出部）
７    制御部
８    電源供給制御部
９、１０    記憶部
【図１】
2004221803.tif 000003
【図２】
2004221803.tif 000004
【図３】
2004221803.tif 000005
【図４】
2004221803.tif 000006